【事件の表示】
　特願２００１−２２０６３１「入出力装置に対するウェブ・インターフェース」拒絶査定不服審判事件〔平成１４年　７月１９日出願公開、特開２００２−２０４２８１〕について、次のとおり審決する。
【結　論】
　本件審判の請求は、成り立たない。
【理　由】
１．手続の経緯と本願発明
　本願は、平成１３年６月１５日（パリ条約による優先権主張２０００年６月１５日米国）の特許出願であって、平成２３年６月２０日付けで拒絶査定がなされ、同年１０月２４日に審判の請求がなされ、これに対し当審において平成２４年１１月２０日付けで拒絶理由通知がなされ、平成２５年５月２７日付けで手続補正がなされたものである。
　
　本願の請求項１に係る発明（以下、「本願発明」という。）は、平成２５年５月２７日付け手続補正書により補正された、特許請求の範囲、請求項１に記載された以下のとおりのものと認める。
「【請求項１】
　少なくとも１つの入出力モジュールを有する工業制御システムに含まれた情報及びデータに対して通信ネットワークを介して遠方サイトでのユーザ・アクセスを可能にする制御システムであって、
　前記通信ネットワークに前記遠方サイトを結合しかつ前記通信ネットワークと対話するウェブ・ブラウザを含む手段と、
　前記工業制御システムに関連しかつ前記通信ネットワークを介してアクセス可能なウェブ・サイトと、
　該ウェブ・サイトに前記工業制御システムを相互接続する手段であって、当該相互接続する手段は前記少なくとも１つの入出力モジュールに組み込まれたインターフェース・モジュールを含み、当該少なくとも１つの入出力モジュールを前記通信ネットワークに結合する、前記リンク手段と、
　前記通信ネットワークを介して前記遠方位置から受信されたデータ要求を処理する手段と、
　前記遠方位置と前記工業制御システムとの間でデータ転送を可能にする手段と、
　少なくとも１つの入出力モジュールとプロトコル・タスクをインターフェースし、前記可能にする手段からデータ要求を受け取り、前記要求されたデータのために前記工業制御システムをアクセスし、かつ、前記可能にする手段を介して前記遠方位置に応答を送出する手段であって、フレームワークの前記応答が、少なくとも１つの入出力モジュールに配置されたオペレーティング・システムによって供給される前記手段と、
を含む制御システム。」
　
２．引用発明
　これに対して、当審の拒絶理由に引用された国際公開第９９／１３４１８号（以下、「引用例」という。）には、「WEB INTERFACE TO A PROGRAMMABLE CONTROLLER」（邦訳「プログラム可能なコントローラへのウェブインターフェイス」）として、図面とともに、以下の事項が記載されている。
イ．「SUMMARY OF THE INVENTION
　
Accordingly, the principal object of the present invention is to provide an interface between an industrial control system and a Web browser coupled to a connectionless network such as Internet.
 
Another object of the present invention is to provide remote access through a Web browser to information and data contained in an industrial control system having a Programmable Logic Controller. 
 In the preferred embodiment of the invention, the invention allows for easy access over a commercial network such as Internet to information within a programmable logic controller (PLC). Access can be made locally or worldwide using a commercial Web browser. The invention is comprised of a control system of essential elements including, but not limited to a Web interface, a local network, and a network interface to at least one PLC control system running an application program for controlling output devices in response to status of input devices. The Web interface runs Web pages from an Ethernet board coupled directly to the PLC back plane and includes an HTTP protocol interpreter, a PLC back plane driver, a TCP/IP stack, and an Ethernet board kernel. The Web interface provides access to the PLC back plane by a user at a remote location through the Internet. 」（３頁２３行〜４頁１３行）
邦訳：「発明の概要
　したがって、本発明の主要な目的は、産業コントロールシステムと、インターネットのような接続のないネットワークに結合されるウェブブラウザとの間のインターフェイスを提供することである。本発明の別の目的は、ウェブブラウザを通じて、プログラム可能なロジックコントローラを有する産業コントロールシステムに含まれる情報やデータへの遠隔アクセスを提供することである。
　本発明の好ましい実施例において、本発明は、インターネットのような商業用ネットワークを介してプログラム可能なロジックコントローラ（ＰＬＣ）内の情報への簡単なアクセスを可能とするものである。商業用ウェブブラウザを用いて、アクセスは、局地的にも全世界的にも行うことができる。本発明は、ウェブインターフェイス、ローカルネットワークおよび入力装置の状態に応答して、出力装置をコントロールするためのアプリケーションプログラムを実行する少なくとも１つのＰＬＣコントロールシステムへのネットワークインターフェイスを含むが、それらに限定されるものではない、本質的な素子のコントロールシステムからなる。ウェブインターフェイスは、ＰＬＣバックプレーンに直接結合されるエサーネットボードからウェブページを実行し、また、ＨＴＴＰプロトコールインタープリタ、ＰＬＣバックプレーンドライバ、ＴＣＰ／ＩＰスタックおよびエサーネットボード核を含む。ウェブインターフェイスは、インターネットを通じて、遠隔の位置にいるユーザによるＰＬＣバックプレーンへのアクセスを提供する。」
　
ロ．「Figure 1 shows an overview block diagram of typical system illustrating the relationship between an user 2 at a remote location and an Internet web site 4 used for monitoring a process control system 6. The user 2 will have a personal computer (PC) 8 having a commercially available browser 10, such as Netscape Communication's Navigator or Microsoft's Internet Explorer, installed for viewing the contents at the web site 4 by a monitor 12. The PC provides a remote human-machine interface (HMI) to the process control system 6.」（５頁１９〜２６行）
邦訳：「図１は、遠隔の位置にいるユーザ−２と、プロセスコントロールシステム６をモニタするために用いられるインターネットウェブサイト４との間の関係を例示する、典型的なシステムの全体ブロック図を示す。ユーザ２は、モニタ１２によってウェブサイト４の内容を見るためにインストールされた、ネットスケープコミュニケーションのナビゲータやマイクロソフトのインターネットエクスプローラのような商業的に入手できるブラウザ１０を有するパーソナルコンピュータ（ＰＣ）８を有する。そのＰＣによって、プロセスコントロールシステム６に遠隔のヒューマン／マシンインターフェイス（ＨＭＩ）が備わる。」
　
ハ．「Figure 2 shows a basic block diagram of the present invention illustrating the Internet interface to a programmable logic controller system. The web site 4 includes the network interface 16 having an unique Internet address 8 and a web server 30. The web server 30 provides the home page for the website. A firewall or security for the overall system can be included in the Web server 30, but is generally maintained as part of the network interface 16. In addition to providing security for various pages at the site, the user can disable the web server 30. A password and user list is provided in initial configuration files stored in the web server 30 that are downloaded from a remote server. Protection of the configuration file is then provided by the remote server and the web server 30 through the password and the user list. The web server 30 provides a direct connection for a programmable logic controller (PLC) 32 to the Internet 14 by plugging the web server 30 into its back plane 34. The web server 30 provides both a client and server interface. All signals between the PLC 32 and the web server 30 are through the back plane 34 rather than over a set of cables which would normally have to be coupled to input/output modules that are themselves plugged into the back plane 34. The back plane signals include addressing, control, data, and power. The client interface allows a user to send commands to a remote node over the Internet and the server interface allows for processing commands that originated from a remote node. Controlling the PLC 32 from a remote HMI, essentially on a real time basis is possible by controlling the data flow through the web server 30.
　Associated with the PLC 32 are its application programs 36, dual port memory 38 and I/O devices 40. The application program includes a ladder logic program for controlling the I/O devices 40.」（６頁２７行〜７頁２３行）
邦訳：「図２は、プログラム可能なロジックコントローラーシステムへのインターネットインターフェイスを例示する、本発明の基本的なブロック図を示す。ウェブサイト４には、独自のインターネットアドレス１８とウェブサーバ３０を有するネットワークインターフェイス１６が含まれる。ウェブサーバ３０には、ウェブサイトのためのホームページが備わる。システム全体についてのファイアーウォールまたはセキュリティは、ウェブサーバ３０に含まれるようにすることができるが、一般には、ネットワークインターフェイス１６の一部として保有される。サイトで様々なページに対するセキュリティを提供することに加えて、ユーザは、ウェブサーバ３０の割り込みを抑制することができる。パスワードとユーザーリストが、遠隔のサーバからダウンロードされるウェブサーバ３０に蓄えられる最初のコンフィギュレーションファイルに備えられる。そのパスワードおよびそのユーザーリストを通じて、コンフィギュレーションファイルの保護は、遠隔のサーバおよびウェブサーバ３０によって備えられる。ウェブサーバ３０をバックプレーン３４に差し込むことによって、ウェブサーバ３０は、プログラム可能なロジックコントローラ（ＰＬＣ）３２のために、インターネット１４への直接接続を提供する。ウェブサーバ３０は、クライアントとサーバ双方のインターフェイスを提供する。ＰＬＣ３２とウェブサーバ３０との間の全ての信号は、自体がバックプレーン３４に差し込まれる入力／出力モジュールに通常結合されなければならない一組のケーブルを介するよりはむしろバックプレーン３４を通るものである。バックプレーン信号には、アドレス指定、コントロール、データおよびパワーが含まれる。クライアントのインターフェイスにより、ユーザがインターネットを介して遠隔のノードにコマンドを送るのが可能となり、また、サーバのインターフェイスは、遠隔のノードから発生したコマンドを処理することを可能とする。本質的にリアルタイムベースで、遠隔のＨＭＩからＰＬＣ３２をコントロールすることが、ウェブサーバ３０を通してのデータフローをコントロールすることによって可能である。
　ＰＬＣ３２と関係するのは、そのアプリケーションプログラム３６，デュアルポートメモリ３８およびＩ／Ｏ装置４０である。アプリケーションプログラムには、Ｉ／Ｏ装置４０をコントロールするための梯子型ロジックプログラムが含まれる。」
　
ニ．「The HTTP task 62 interfaces with the TCP/IP stack 54, and the back plane driver 56. The HTTP server task 62 receives a HTTP request from the TCP/IP stack 54 To process the request, it may access the PLC 32 through the back plane driver 56 and back plane 34 The HTTP server task 62 sends back the response over the TCP/IP stack 54. The framework is supplied by the operating system 44.」（１４頁２４〜２９行）
邦訳：「ＨＴＴＰタスク６２は、ＴＣＰ／ＩＰスタック５４およびバックプレーンドライバ５６と連動する。ＨＴＴＰサーバータスク６２は、ＴＣＰ／ＩＰスタック５４からＨＴＴＰ要求を受け取る。その要求を処理するために、バックプレーンドライバ５６およびバックプレーン３４を通じて、ＰＬＣ３２にアクセスする。ＨＴＴＰサーバータスク６２は、ＴＣＰ／ＩＰスタック５４を介して、応答を送り戻す。フレームワークが、オペレーティングシステム４４によって供給される。」
　
ホ．「CLAIMS
We claim:
1 . An interface module for allowing access to a programmable logic controller system from a communication network at a remote location, the interface module adapted for installation in a slot coupled through a back plane to a programmable logic controller, the module comprising:
A. a microprocessor;
B. a real time operating system;
C. means for coupling the interface module to said communications network;
D. means for coupling the interface module to said back plane and for transferring data between the interface module and said programmable logic controller;
E. means for processing data requests received from said remote location over said communications network;
F. means for enabling data transfers between the remote location and said programmable logic controller system; and
G. means for interfacing a protocol task with said back plane, said interfacing means for receiving a data request from said enabling means, for accessing said programmable logic controller system for said requested data, and for sending a response to said remote location through said enabling means, said response in a framework supplied by said operating system.
2. The interface module of claim 1 wherein said communication network is a world-wide network known as Internet using an Internet Protocol (IP).
  
3. The interface module of claim 2 wherein said interface module functions as a web site on said Internet, said interface module including a global IP address.
4. The interface module of claim 3 wherein said network coupling means includes a network driver for receiving data requests from a browser on said Internet and for sending a response back to said browser.」（１９頁〜２０頁）
邦訳：「特許請求の範囲：
１．遠隔の位置にある通信ネットワークからプログラム可能なロジックコントローラーシステムへのアクセスを可能とするインターフェースモジュールで、そのインターフェースモジュールは、バックプレーンを通じてプログラム可能なロジックコントローラに結合されるスロットへの据え付けられ、
Ａ．マイクロプロセッサ、
Ｂ．リアルタイムオペレーティングシステム、
Ｃ．前記インターフェースモジュールを前記通信ネットワークに結合する手段、
Ｄ．前記インターフェースモジュールを前記バックプレーンに結合し、そのインターフェースモジュールと前記プログラム可能なロジックコントローラとの間でデータを転送する手段、
Ｅ．前記通信ネットワークを介して前記遠隔の位置から受け取られるデータ要求を処理する手段、
Ｆ．前記遠隔の位置と前記プログラム可能なロジックコントローラーシステムとの間でデータ転送を可能とする手段、
Ｇ．プロトコールタスクを前記バックプレーンと連動させる手段であって、前記可能とする手段からデータ要求を受け取り、その要求されるデータのために前記プログラム可能なロジックコントローラーシステムにアクセスし、前記可能とする手段を通じて前記遠隔な位置に応答を送り、その応答は、前記オペレーティングシステムによって供給されるフレームワークの中にある前記連動させる手段、
からなる前記モジュール。
２．前記通信ネットワークは、インターネットプロトコール（ＩＰ）を用いるインターネットとして知られ、全世界に広がるネットワークである請求項１に記載のインターフェースモジュール。
３．前記インターフェースモジュールは、前記インターネット上のウェブサイトとして機能し、前記インターフェースモジュールは、グローバルなＩＰアドレスを含む請求項２に記載のインターフェースモジュール。
４．前記ネットワーク結合手段は、前記インターネット上のブラウザからデータ要求を受け取り、そのブラウザに応答を送り返すネットワークドライバーを含む請求項３に記載のインターフェースモジュール。」
　
　上記引用例の記載及び添付図面ならびにこの分野における技術常識を考慮すると、
　
　上記イ．には、「ウェブブラウザを通じて、プログラム可能なロジックコントローラを有する産業コントロールシステムに含まれる情報やデータへの遠隔アクセスを提供すること」、また、「入力装置の状態に応答して、出力装置をコントロールする」「少なくとも１つのＰＬＣコントロールシステムへのネットワークインターフェイス」について示されており、「入力装置の状態に応答して、出力装置をコントロールする少なくとも１つのプログラム可能なロジックコントロールシステムを有する産業コントロールシステムに含まれる情報やデータへの遠隔アクセスを提供するインターフェイス」が記載されている。
　
　上記ロ．には、遠隔の位置にいるユーザ２は、ウェブサイト４の内容を見るブラウザ１０を有するパーソナルコンピュータ（ＰＣ）８によって遠隔のヒューマン／マシンインターフェイス（ＨＭＩ）を備えることが記載されている。
　
　上記ハ．には、「ウェブサイト４」は「ウェブサーバ３０」を有し、「ウェブサーバ３０は、プログラム可能なロジックコントローラ（ＰＬＣ）３２のために、インターネット１４への直接接続を提供する」ことが示されている。
　したがって、ウェブサイト４と、上記イ．に示される「入力装置の状態に応答して、出力装置をコントロールする少なくとも１つのＰＬＣコントロールシステム」及び「産業コントロールシステム」は、ウエブサイト４が有するウエブサーバ３０によって、「直接接続」されるものといえる。
　そして、図２，３を参照すると、ウエブサーバ３０は、「インターフェースの機能」（４８）を有する、「ウエブサーバーモジュール」ということができる。
　
　上記ニ．には、ＨＴＴＰサーバータスク６２は、ＨＴＴＰ要求を受け取り、その要求を処理するために、ＰＬＣ３２にアクセスし、応答を送ること、また、フレームワークが、オペレーティングシステム４４によって供給されることが記載されている。
　
　上記ホ．によると「インターフェースモジュール」によって、「遠隔の位置にある通信ネットワークからプログラム可能なロジックコントローラーシステムへのアクセスを可能とする」ものであり、該「インターフェースモジュール」は、「プログラム可能なロジックコントローラをバックプレーンを介し結合する手段」、「通信ネットワークとの結合手段」、「通信ネットワークを介して遠隔の位置から受け取られるデータ要求を処理する手段」、「遠隔の位置とプログラム可能なロジックコントローラーシステムとの間でデータ転送を可能とする手段」、「プロトコールタスクを前記バックプレーンと連動させる手段であって、前記可能とする手段からデータ要求を受け取り、その要求されるデータのために前記プログラム可能なロジックコントローラーシステムにアクセスし、前記可能とする手段を通じて前記遠隔な位置に応答を送り、その応答は、前記オペレーティングシステムによって供給されるフレームワークの中にある前記連動させる手段」とを有すること、また、「通信ネットワーク」は「インターネット」であり、前記「インターフェースモジュール」は、インターネット上の「ウェブサイトとして機能」することについて記載されている。
　
　したがって、上記引用例には以下の発明（以下、「引用発明」という。）が開示されている。
　
「入力装置の状態に応答して、出力装置をコントロールする少なくとも１つのプログラム可能なロジックコントロールシステムを有する産業コントロールシステムに含まれる情報やデータへの遠隔アクセスを提供するインターフェイスモジュールであって、
　前記インターフェースモジュールはウェブサイトとして機能し、遠隔の位置にいるユーザは、ウェブサイトの内容を見るブラウザを有するパーソナルコンピュータによって遠隔のヒューマン／マシンインターフェイスを備え、
　該ウエブサイトと産業コントロールシステムを直接接続する手段であって、当該直接接続する手段は、入力装置の状態に応答して、出力装置をコントロールする少なくとも１つのプログラム可能なロジックコントロールシステムが有するインターフェースの機能を有するウエブサーバーモジュールを含み、入力装置の状態に応答して、出力装置をコントロールする少なくとも１つのプログラム可能なロジックコントロールシステムを通信ネットワークに直接接続する手段と、
　前記通信ネットワークを介して前記遠隔の位置から受け取られるデータ要求を処理する手段と、
　前記遠隔の位置と前記産業コントロールシステムとの間でデータ転送を可能にする手段と、
　プロトコールタスクをバックプレーンと連動させる手段であって、前記可能とする手段からデータ要求を受け取り、その要求されるデータのために前記プログラム可能なロジックコントローラーシステムにアクセスし、前記可能とする手段を通じて前記遠隔な位置に応答を送り、その応答は、オペレーティングシステムによって供給されるフレームワークの中にある前記連動させる手段とを有する、
　インターフェースモジュール。」
　
３．対比・判断
　本願発明と引用発明とを対比する
　
　引用発明の「入力装置の状態に応答して、出力装置をコントロールする少なくとも１つのプログラム可能なロジックコントロールシステム」は、遠方からのアクセスの対象となる制御システムであるから、本願発明の「少なくとも１つの入出力モジュールを有する」「制御システム」と比較すると、「少なくとも１つの入出力制御システム」である点において共通する。
　
　引用発明の「産業コントロールシステム」は、遠方からのアクセスの対象となる「入力装置の状態に応答して、出力装置をコントロールする少なくとも１つのプログラム可能なロジックコントロールシステム」を含むものであって、本願発明の、少なくとも１つの入出力モジュールを有する「工業制御システム」に相当する。
　
　引用発明の「含まれる情報やデータ」は、遠方からのアクセスの対象となる情報やデータであるから、本願発明の「含まれた情報及びデータ」に相当する。
　
　引用発明の「通信ネットワーク」は、インターネットなどの通信ネットワークであり、本願発明の「通信ネットワーク」と共通する。
　
　引用発明の「遠隔アクセス」は、遠方のアクセス手段（コンピュータ）を用いるユーザのアクセスであり、コンピュータ手段を「サイト」と称することも任意であるから、本願発明の「遠方サイトでのユーザ・アクセス」に相当する。
　
　引用発明の「ブラウザを有するパーソナルコンピュータによって遠隔のヒューマン／マシンインターフェイスを備え」は、通信ネットワークに結合させた遠方のアクセス手段であるパーソナルコンピュータのブラウザによってヒューマン／マシンインターフェイスを備えるものであり、ヒューマン／マシンインターフェイスはコンピュータを介した対話手段ともいうことができるものであり、本願発明の「遠方サイトを結合しかつ前記通信ネットワークと対話するウェブ・ブラウザを含む手段」に相当する。
　
　引用発明の「ウェブサイトとして機能」は、遠方からのアクセスを可能にするウエブサイトとしての機能であるから、本願発明の「ウェブ・サイト」に相当する。
　
　引用発明の「直接接続」は、「ウェブサイト」に「産業コントロールシステム」を接続するものであり、この接続は双方向の接続であるから、本願発明の、ウェブ・サイトに工業制御システムを「相互接続する手段」及び「リンク手段」に相当する。
　
　引用発明の「インターフェースの機能を有するウエブサーバーモジュール」は、インターフェースの機能を有するモジュールであり「インターフェース・モジュール」と称することは任意であり、本願発明の「インターフェース・モジュール」に相当する。
　
　引用発明の、『「前記通信ネットワークを介して前記遠隔の位置から受け取られるデータ要求を処理する手段」、
　「遠隔の位置とプログラム可能なロジックコントローラーシステムとの間でデータ転送を可能とする手段」、
　「プロトコールタスクをバックプレーンと連動させる手段であって、前記可能とする手段からデータ要求を受け取り、その要求されるデータのために前記プログラム可能なロジックコントローラーシステムにアクセスし、前記可能とする手段を通じて前記遠隔な位置に応答を送り、その応答は、オペレーティングシステムによって供給されるフレームワークの中にある前記連動させる手段」「とを有するインターフェースモジュール」』は、
上記ニ．に示されるように、ＨＴＴＰ要求を受け取り、その要求を処理するためにプログラム可能なロジックコントローラーシステムにアクセスして応答を送り、また、フレームワークが、オペレーティングシステム４４によって供給されるものであり、
　本願発明の『「前記通信ネットワークを介して前記遠方位置から受信されたデータ要求を処理する手段」、
　「前記遠方位置と前記工業制御システムとの間でデータ転送を可能にする手段」、
　「プロトコル・タスクをインターフェースし、前記可能にする手段からデータ要求を受け取り、前記要求されたデータのために前記工業制御システムをアクセスし、かつ、前記可能にする手段を介して前記遠方位置に応答を送出する手段であって、フレームワークの前記応答が」、「オペレーティング・システムによって供給される前記手段」』に相当する。
　
　したがって、本願発明と引用発明は、以下の点で一致し、また、相違している。
＜一致点＞
　「少なくとも１つの入出力制御システムを有する工業制御システムに含まれた情報及びデータに対して通信ネットワークを介して遠方サイトでのユーザ・アクセスを可能にする制御システムであって、
　前記通信ネットワークに前記遠方サイトを結合しかつ前記通信ネットワークと対話するウェブ・ブラウザを含む手段と、
　前記工業制御システムに関連しかつ前記通信ネットワークを介してアクセス可能なウェブ・サイトと、
　該ウェブ・サイトに前記工業制御システムを相互接続する手段であって、当該相互接続する手段は、前記少なくとも１つの入出力制御システムのインターフェース・モジュールを含み、当該少なくとも１つの入出力制御システムを前記通信ネットワークに結合するリンク手段と、
　前記通信ネットワークを介して前記遠方位置から受信されたデータ要求を処理する手段と、
　前記遠方位置と前記工業制御システムとの間でデータ転送を可能にする手段と、
　少なくとも１つの入出力制御システムとプロトコル・タスクをインターフェースし、前記可能にする手段からデータ要求を受け取り、前記要求されたデータのために前記工業制御システムをアクセスし、かつ、前記可能にする手段を介して前記遠方位置に応答を送出する手段であって、フレームワークの前記応答が、オペレーティング・システムによって供給される前記手段と、を含む制御システム。」
　
＜相違点＞
（１）本願発明の「少なくとも１つの入出力モジュール」は、「モジュール」として構成されているのに対して、引用発明の「入力装置の状態に応答して、出力装置をコントロールする少なくとも１つのプログラム可能なロジックコントロールシステム」は、「モジュール」ではない点。
　
（２）本願発明は、「インターフェース・モジュール」が「少なくとも１つの入出力モジュール」に「組み込まれた」ものであるのに対して、引用発明の「インターフェースの機能を有するウエブサーバーモジュール」は「入力装置の状態に応答して、出力装置をコントロールする少なくとも１つのプログラム可能なロジックコントロールシステム」の構成の１つである点。
　
（３）本願発明は、「オペレーティングシステム」が、「少なくとも１つの入出力モジュールに配置された」ものであるのに対し、引用発明は、「オペレーティングシステム」が「インターフェースモジュール」に配置されている点。
　
　上記相違点（１）（２）（３）について検討する
　
　通信ネットワークを介して遠方サイトでのユーザ・アクセスを可能にする制御システムにおいて、「操作対象に対する入出力手段」、「ウエブサーバとしての手段」、「通信ネットワークとの結合手段（インターフェース）」等を一体のものとして構成することは、例えば、特開平１０−１４９２７０号公報（特に、【請求項１】，図１，２参照。）、特開平１０−１９１４６３号公報（特に、【請求項１】参照。）、特開平１０−１２４４１８号公報（特に、【０００６】参照。）に記載されるように周知の技術である。
　したがって、引用発明において、「操作対象に対する入出力手段」、「ウエブサーバとしての手段」、「通信ネットワークとの結合手段（インターフェース）」等からなる「入力装置の状態に応答して、出力装置をコントロールする少なくとも１つのプログラム可能なロジックコントロールシステム」を１体の「モジュール」として構成することは、当業者が容易になし得るものである。
　そして、１つの「モジュール」であれば、「オペレーティングシステム」がその「モジュール」の中に配置されることは当然である。
　なお、「モジュール」の名称は任意であり、「入出力モジュール」に「インターフェース・モジュール」を「組み込」むということも入出力の機能と、インターフェースの機能とを一体のモジュールとする以上の技術的意味はないから、「入出力モジュール」と称することは適宜なし得るものである。
　
　また、本願発明に関する作用・効果も引用発明および周知の技術から当業者が予測できる範囲のものである。
　
４．結語
　以上のとおり、本願発明は引用例に記載された発明及び周知技術に基づいて容易に発明できたものであるから、特許法第２９条第２項の規定により、特許を受けることができないものである。
　
　よって、結論のとおり決定する。